(57)【特許請求の範囲】
【請求項１】
通気性、透水性を有し、植物の根が栽培具１から出にくい柔軟なシート材から成り、かつ両端が開放した筒状体２とし、開放された両側のそれぞれの筒口３Ａ、３Ｂの内側略全周に帯状片４Ａ、４Ｂを取り付け、紐通し口５Ａ，５Ｂを有する紐通し部６Ａ，６Ｂをそれぞれの筒口３Ａ、３Ｂの周縁に形成し、それぞれの紐通し部６Ａ、６Ｂに引締め紐７Ａ，７Ｂを通し、一方の筒口３Ｂの引締め紐７Ｂを締めて、その一方の筒口３Ｂ閉じることができ、もう他方の筒口３Ａより培土９を入れ植物を育てることができることを特徴とする植物栽培具。
【発明の詳細な説明】
【技術分野】
【０００１】  本発明は、家庭や工場において、培土を使い植物を栽培する為の栽培具に関する。
【背景技術】
【０００２】  従来の植物栽培具は、培土を使い植物を栽培する為の栽培具としては、不織布やビニールなどの素材の栽培袋やプラスチック、木、陶器の鉢等のプランターが使われている。培土の入れ替えやさつま芋やジャガイモなどのいも類の収穫には、栽培具を逆さにして出すか、栽培具上部より手を入れて収穫物を取りだす方法のため作業に時間がかかった。また、収穫後の植物残渣の多くは利用されず廃棄物として処理されており、植物の茎や葉は、水分を含んでいるので焼却すると費用がかかる。特許文献１には袋を筒状にし、底面に紐通しが設けられ紐を引き締めて底部とし、他方のシール部分を開放し植物を栽培し、袋の両側に沿って支柱挿入用の筒状開口部が設けられていると記載されている。特許文献２には、不透水性で通気性を要する素材で形成され、環状保持体が該筒状体の両側開口部にそれぞれ装着し、その内側を絞って閉塞させる一対の締付紐を設けた生ゴミ処理用袋状体と記載されている。
【先行技術文献】
【特許文献】
【０００３】
【特許文献１】  特許第３３７９９３７号公報。
【特許文献２】  特開２００９−１１２８９８号公報。
【発明の概要】
【発明が解決しようとする課題】
【０００４】  従来の栽培具は、上開口部のみ開放されている袋やプラスチック、木、陶器などのプランターのため、培土の入れ変えに作業性が悪く、さつま芋やジャガイモなど収穫物を取りだすのにも取り出しにくい。また、収穫後の植物残渣の多くは利用されず廃棄物となり、植物の茎や葉は、水分を含んでいるので焼却処理すると費用がかかる。特許文献１では、底面に紐通しが設けられているが、紐を引締めても素材の厚みにより隙間ができるため培土はこぼれ出たり、栽培作物のさつま芋など栽培具が小さく培土が少ないと、隙間より根が栽培具の外に出てさつま芋が栽培具の外で育ってしまう。特許文献２では、植物残渣の堆肥化するための処理用袋で、不透水性の素材のため底部を開口部付近に巻き付けて縛ると、通水性がないので植物を育てる環境としては良くなく、筒口に環状保持体を装着し、その内側を紐で絞って閉塞させる一対の締付紐を設けてあるが作業性が悪い。本発明はこれらの問題を解決するため少ない培土でもいも類を育て、その収穫において上部筒口より取りだして収穫することなく収穫でき、培土の入れ替えにも作業しやすく、収穫後の植物残渣を廃棄処理することなく利用できる植物栽培具を提供する。
【課題を解決するための手段】
【０００５】  通気性、透水性を有し、植物の根が栽培具１から出にくい柔軟なシート材から成り、かつ両端が開放した筒状体２とし、開放された両側のそれぞれぞれの筒口３Ａ、３Ｂの内側略全周に帯状片４Ａ、４Ｂを取り付け、紐通し口５Ａ，５Ｂを有する紐通し部６Ａ，６Ｂをそれぞれの筒口３Ａ、３Ｂの周縁に形成し、それぞれの紐通し部６Ａ、６Ｂに引締め紐７Ａ，７Ｂを通し、一方の筒口３Ｂの引締め紐７Ｂを締めて、その一方の筒口３Ｂ閉じることができ、もう他方の筒口３Ａより培土９を入れ植物を育てる植物栽培具としたことである。
【発明の効果】
【０００６】  栽培具１の一方の筒口３Ａの内側の帯状片４Ａを外側に出して使用すると、筒口３Ａが広く開きプランターとして使える。また、植物特にさつま芋１０の栽培には、筒口３Ａに空間を残して引締め紐７Ａで締めると、さつま芋１０に土圧が加わり少ない培土９でも収量が増す。【０００７】  一方の筒口３Ａの内側の帯状片４Ａを内側に向けて使用すると、土はね防止になりマルチ効果や保温効果がある。【０００８】  他方の筒口４Ｂを引締め紐７Ｂで締め底部とすると、筒口３Ｂの内側に付けられた帯状片４Ｂは、引締め紐７Ｂを締めると帯状片が寄せ集められ隙間がなくなり、培土９がこぼれなく少ない培土９でもさつま芋１０が栽培具１の外で育つようなことがなく、虫の侵入も防止することができる。【０００９】  底部の引締め紐７Ｂを開口するだけで、栽培具１を持ち上げて逆さにしなくても、さつま芋１０やジャガイモなどのいも類の収穫ができ、培土９の入れ替えと同じにいも類の収穫もできる。【００１０】  収穫後の植物残渣や食物物残を堆肥化するとき、未熟堆肥はガスが出るためそのまま利用せず、完熟堆肥にしてから利用する方法が一般的であるが、本発明は、未熟堆肥でも植物を植えても差し支えなく、ガスは自然界でも発生している自然現象であり、植物の成長に影響は少ないと考え、収穫後の植物残渣をコストをかけて廃棄処理することなく、その場で栽培具１の中の培土９と一緒に入れて再利用できる。【００１１】  未熟な有機物を利用しながら、植物栽培が同じ栽培具１でおこなえる為、場所をとらず堆肥を作り、その堆肥をプランターなどに移動をして利用する必要がないので、少ない面積で手間をかけずに作業効率が良い。【００１２】  廃棄されていた害のない有機物の利用により処理費用がかからず再利用でき、経済効果は非におおきい。また栽培に必要な堆肥を一部購入しないで土壌改良ができる。【００１３】  未塾な有機物だけでなく食物残渣をそのまま筒口３Ａから投入したときには、紐で締めただけでは、匂いの出るものが入ると匂いに猫やカラスが中の物を取り出したり、虫が発生する問題を、引締め紐７Ａを締めると帯状片４Ａが寄せ集めら筒口が良く締まり、猫やカラスから守られ、また、培土９がこぼれなく匂いや虫の出入り防止の役目となる。【００１４】  植物を栽培しないときには両側筒口３Ａ、３Ｂを締め積み重ねて置けるので、土地の有効利用ができる。【００１５】  堆肥製造具として利用するときには、数週間に一度、天地を変えることで堆肥化しやすく、天地変えのできる植物栽培具である。
【図面の簡単な説明】
【００１６】
【図１】本発明の栽培具の上下筒口を開いた斜視図。
【図２】本発明の栽培具の底部を締めた斜視図。
【図３】本発明の栽培具の植物を栽培している斜視図。
【図４】本発明の栽培具の底部を開いて中身を出している斜視図。
【図５】本発明の栽培具の上下を締めた斜視図。
【発明を実施するための形態】
【００１７】本発明の植物栽培具の実施する為の形態を図を参照して説明する。
図１は、柔軟なシート状の不織布や布、合成樹脂シート、防草シートなど根が出にくく、通気性や透水性のある柔軟な素材から成るシート体を、プランターとして使用できる大きさに裁断して、筒状体２に縫いわせる。それぞれの筒口３Ａ、３Ｂ内側に略全に周帯状片４Ａ，４Ｂを取り付け、それぞれの筒口３Ａ、３Ｂの周縁に紐通し口５Ａ，５Ｂを設けた紐通し部５Ａ，５Ｂをトンネル状に形成する。紐通し部６Ａ，６Ｂは、式締め紐７Ａ、７Ｂが通る幅をとり折り返して作るか、または、トンネル状になるよう部材を、張り付けるか縫い付ける方法など目的に合った作り方でよい。折り返し部分を縫いつけるときに、帯状片４の縫いしろを一緒にはさみ込んで縫う。帯状片４の素材は筒状体２と同じか、通気性、透水性があれば異なる素材を使用してもよい。筒口３を締めたときに隙間８がなく、培土９がこぼれ出なく、また、植物、特にさつま芋１０の根が出ないような帯状片幅を取る。紐通し口３より引締め紐７を紐通し部内に一周させ、両端を紐通し口３より引き出し紐先端を結ぶか、あるいは、特願２０１１−４９５８８を使用してもよい。
【００１８】  図２は、植物栽培具１の一方の筒口３Ｂを引締め紐７Ｂで締め底部とし、もう他方の筒口３Ａは開き帯状片４Ａを外側に向けた、中に物を入れる前の栽培具１の状態である。一方の筒口３Ｂを締めると帯状片４は筒口３Ｂの隙間８Ｂを埋めてくれるように寄せ集められる。
【００１９】図３は、図２の栽培具１の状態に、培土９を入れ植物を栽培した状態である。一方の筒口３Ｂを締め底部としたときの帯状片４Ｂは、筒口３Ｂを締めたときにできる隙間８Ｂをふさぐ役目をするため、栽培具１の中の培土９はこぼれ落ちることがない。植物特にさつま芋栽培では、少しの隙間８Ｂができるとさつま芋１０は、栽培具１の外で栽培されるので、帯状片４Ｂにより筒口３Ｂを締めたときできる隙間８Ｂをなくすことができる。もう他方の筒口３Ａより培土９入れ植物を育てるときには、帯状片４Ａを外側に向けて引締め紐７Ａを栽培に必要な空間部分を残して締めると培土９がこぼれ出なくさつま芋栽培には土圧を加えることができる栽培具１となる。栽培する作物につる性や支柱が必要な植物があるときには、筒状体２の筒口３方向に、支柱ホルダーを支柱強度があるように必要分取り付けてもよい。
【００２０】  図４は、植物を栽培した後、栽培具１の中にできた収穫物を取り出し、育てた後の培土９を入れ替える時、底部の引締め紐７Ｂを開くと、底部の筒口３Ｂから収穫物と培土９が一諸に外に出る様子を表わしたものである。今までは、袋を逆さにして取り出すか、ほじくり出す方法がとられていたが、片方のみ開閉された栽培具と違い、筒状体２であるため作業効率が良い。
【００２１】  図４は、植物を栽培した後続けて栽培しないときには両側筒口３Ａ、３Ｂを締め、植物栽培具１を重ねて置ける。また、栽培した後の植物残渣は、廃棄することなく再利用する為の堆肥製造具として使用できる。使い方は、植物残渣として栽培したさつま芋１０の蔓など適当な長さに切って入れたり、庭の草むしりの雑草など入れる。食物残渣としては家庭から出る生ごみ、また、有害物質を含まなく再資源化できない紙や段ボールなどの有機物を投入し上下筒口部分に土または、培土９を筒口が締まる程に入れ、帯状片を内側に戻し両筒口を締める。未塾な有機物だけでなく食物残渣をそのまま袋口から投入したときには、紐で締めただけでは、匂いの出るものが入ると匂いに猫やカラスが中の物を取りだしやすく、虫の出入りがよういになる問題を、引き締紐７で筒口３Ａの帯状片４が寄せ集めら筒口３が良く閉まり、猫やカラスから守られ、また、培土９がこぼれなく匂いや虫の出入り防止の役目になる。数週間に一度天地変えをすると中の有機物などが堆肥化しやすい。その後、植物栽培具１として使用するときには、一方の筒口３Ａを開け未熟堆肥でも、有機物が分解し目減り分の培土をたして植物を栽培することができる。一般的には未熟堆肥はガスが出るためそのまま利用せず、完熟堆肥にしてから利用する人が多い。本発明は、未熟な物でも植物を植えても差し支えなく、自然界でも発生している自然現象であり、植物の成長に影響は少ないと考える。未熟な有機物を利用しながら、植物栽培が同じ栽培具でおこなえる為場所をとらずに完熟堆肥を作り、その堆肥をプランターなどに移動をして利用する必要がないので、少ない面積で手間をかけずにすむ。また、完熟堆肥製造具として使用するときには、米ぬかや微生物資材を一緒に入れると醗酵が早まる。
【符号の説明】
【００２２】１    栽培具
２    筒状体
３    筒口
４    帯状片
５    紐通し口
６    紐通し部
７    引締め紐
８    隙間
９    培土
【図１】
0005246522.tif 000002
【図２】
0005246522.tif 000003
【図３】
0005246522.tif 000004
【図４】
0005246522.tif 000005
【図５】
0005246522.tif 000006